(57)【要約】【課題】軽トラックの荷台に増設される差し枠パネルを安定的に立設させると共に、荷台のあおりに確実に固定でき、且つ現場での取り付け取り外しが容易にできる差し枠パネル固定具の提供を図る。【解決手段】本発明の固定具は、側面差し枠パネル間に配置される所定の長さを有する連結ロッドの両端に側面差し枠パネルの上端部を狭持する略Ｕ字状の狭持部を形成して成る複数の上端パネル固定具と、軽トラックのあおりの高さに合わせて形成される連結ブレードの上端部に、略コの字状の上部狭持部を外側且つ下向きに形成すると共に、該下端部に差し枠パネルの下端部を狭持する略コの字状の下部狭持部を内側且つ上向きに形成して成る略クランク状の複数のあおりパネル固定具と、側面差し枠パネルと、後面差し枠パネルの上端部を同時に狭持して固定することができる直交する略コの字状の狭持部を形成して成る少なくとも２以上のコーナーパネル固定具と、で構成される。【選択図】図１
2018144786.tif 000002
【特許請求の範囲】
【請求項１】
軽トラックのあおりの高さより上方に延長される差し枠パネルと、該差し枠パネルの上下端部を狭持して固定する固定具と、で構成される差し枠パネル固定具であって、
前記差し枠パネルは、軽トラックの荷台内に収まる寸法で形成されると共に、脱落防止手段を備える二枚の側面差し枠パネルと、一枚の後面差し枠パネルと、から成り、
前記固定具は、前記側面差し枠パネル間に配置される所定の長さを有する連結ロッドの両端に前記側面差し枠パネルの上端部を狭持する脱落防止手段を備える略Ｕ字状の狭持部を形成して成る複数の上端パネル固定具と、
軽トラックのあおりの高さに合わせて形成される連結ブレードの上端部に、略コの字状の脱落防止手段を備える上部狭持部を外側且つ下向きに形成すると共に、該下端部に前記差し枠パネルの下端部を狭持する略コの字状の脱落防止手段を備える下部狭持部を内側且つ上向きに形成して成る略クランク状の複数のあおりパネル固定具と、
前記側面差し枠パネルと、前記後面差し枠パネルの上端部を同時に狭持して固定することができる脱落防止手段を備えて直交する略コの字状の狭持部を形成して成る少なくとも２以上のコーナーパネル固定具と、から成り、
使用時において、前記あおりパネル固定具の上部狭持部を軽トラックのあおりの上端部に差し込んで固定すると共に、前記あおりパネル固定具の下部狭持部に前記側面差し枠パネルならびに前記後面差し枠パネルの下端部を差し込んで固定し、さらに、対向する前記側面差し枠パネルの上端部に少なくとも１以上の前記上端パネル固定具を差し込んで固定し、さらにまた、前記コーナーパネル固定具を前記側面差し枠パネルと前記後面差し枠パネルの交差部に差し込んで固定することを特徴とする差し枠パネル固定具。
【請求項２】
前記上端パネル固定具の連結ロッドの中間位置に、分解・組立手段若しくは折り畳み手段を設けたことを特徴とする請求項１記載の差し枠パネル固定具。
【請求項３】
前記請求項１または請求項２記載の差し枠パネル固定具を軽トラックの荷台に装着した状態で幌カバーを被覆させたことを特徴とする幌カバー付き軽トラック。
【発明の詳細な説明】
【技術分野】
【０００１】  本発明は、軽トラックの荷台に増設される差し枠パネルを安定的に立設させると共に、荷台のあおりに確実に固定でき、且つ現場での取り付け取り外しが容易にできる差し枠パネル固定具に関する。
【背景技術】
【０００２】  従来より、軽トラックが利用されている農業、漁業、林業の分野においては、日常的な交通手段としてはもとより生産物、資材、肥料、土壌など多様な積載物の運搬手段として広く使用されている。一方、機械や食品製造業の分野においては、梱包製品や箱詰めされた商品の流通移動手段として広く使用されている。他方、サービス業、運送業、販売業の分野においては、書類、什器、宅配品、販売品などの配達手段の一つとして多様に使用されている。以上のように、従来における軽トラックの活用方法は、各産業分野に亘って多様に利用され、その利用目的に合わせて荷台の積載手段も各メーカーや専門業者によって多様な形状を以って提供されている。【０００３】  上記における具体的な提案例としては、荷崩れ防止構造物を構成する支柱部材等の立設部材を、車両荷台のあおりの上部に、簡易なボルト固定手段によって安全且つ簡易に固定することができる「車両荷台のあおりに対する立設部材の固定装置及び該固定装置を構成する固定枠部材の装着方法」（特許文献１）が提案され、公知技術となっている。【０００４】  しかしながら、係る「車両荷台のあおりに対する立設部材の固定装置及び該固定装置を構成する固定枠部材の装着方法」の提案は、立設部材の下端に固定される固定枠部材と、固定枠部材に螺合される水平固定ボルトと、垂直固定ボルトを具える。固定枠部材は、あおりの上部の水平板部に載置される水平片部と、その内外端で下方に突出する内側垂下片部と外側垂下片部と、外側垂下片部の下端で内方に突出する突出片部を具える。外側垂下片部の下側部分に前記水平固定ボルトが螺合され、突出片部に前記垂直固定ボルトが螺合されている。内側垂下片部と外側垂下片部との間にあおりの上部を嵌入し、この嵌入状態で水平固定ボルト及び垂直固定ボルトを締め付けることにより固定枠部材をあおりの上部に固定できるようにして、車両荷台のあおりの上部に対する支柱部材等の立設部材の固定を、簡易なボルト固定手段によって安全に固定することを目的とするあおりの提案であって、該提案を実施するにあたっては固定枠部材を車両のあおりの上部に直接固定する手段を採用していることから、車両のあおりが上げられていることが前提条件となるもので、あおりを上げた状態でトラックの側面からの積載物の出し入れができないといった構造上の問題があるものであった。【０００５】  また、トラック本体に対する振動を抑えることが可能な「トラックのあおり補助部材」が（特許文献２）が提案され、公知技術となっている。【０００６】  しかしながら、係る「トラックのあおり補助部材」の提案は、あおり補助部材を構成する側用部材は、側あおりに沿ってその上側に設けられる平板状の枠体と、当該枠体に取り付けられた２つの支柱とを備える。支柱は、その先端に、第１平板部、第２平板部及び第３平板部からなるクランク状のステーを備える。側用部材は、第２平板部の下面が荷台の上面に当接すると共に、第３平板部の裏面が荷台の側面に当接するように、荷台の周縁に取り付けられる。側あおりが閉じている状態では、側あおりの下面が第２平板部の上面に当接し、第２平板部が側あおりと荷台とに挟み込まれるように構成される。これにより、側用部材��、側あおり及び荷台により固定できるようにした提案であって、該提案は、側用部材に取り付けられている支柱が単に側あおりと荷台との間に挟み込まれる手段を採っていることによって、補助部材自体があおりを利用して自立する構造（両側の側用部材と後用部材が組み立てられた状態において初めて自立する構造）を採用していることから、あおり補助部材を組み立てる際は一人作業が困難なものであると共に、支柱が積載物の外側にかかる荷重をまともに受けるため支柱自体の剛性を高めなければならずその結果、荷台の内側にその剛性手段を構築しなければならないことから、結果的に荷台容量を減らすことになると共に、そのリブ等で形成される剛性手段に流動物や箱物が引っ掛かって作業がやりづらいといった構造上の問題があるものであった。【０００７】  また、雪運びや堆肥運びに利用できるように積載量を増大させることができる「軽トラックのコンパネ用コーナーブラケット」が（特許文献３）が提案され、公知技術となっている。【０００８】  しかしながら、係る「軽トラックのコンパネ用コーナーブラケット」の提案は、コンパネ用コーナーブラケットは、開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置及び下端位置で閉鎖端の外側側壁から他方のコンパネ支持ブラケットの幅を越えて平行に延長した取付固定片と、他方のコンパネ支持ブラケットの中間位置及び下端位置で閉鎖端の外側側壁から前記取付固定片へ突き当って支持する支持固定片とから構成されることから、コンパネ用コーナーブラケットを軽トラックの荷台にボルト等で固着しなければならず、さらに、荷台の四隅にコーナーブラケットが立設していることによって積載物の積み込みならびに積み下ろし作業のやり辛さならびに作業効率が極めて悪いといった問題があると共に、コンパネ用コーナーラックに脱落防止手段が設けられていないことから、コンパネの交差部を固定するコンパネ用コーナーラックが走行中の振動などでコンパネから外れてから脱落する可能性があるものであった。【０００９】  本出願人は、上記における軽トラックのあおりを利用した差し枠パネルの構造上の問題点に着目し、従来の差し枠パネルに、積載作業の効率化、固定構造の簡易化ならびに軽量化を図り、さらに現場での取り付け取り外しが容易にできる共に、天候に左右されず、多様な目的に即対応できる軽トラックの差し枠パネルの固定具ならびに幌カバーの提供ができないものかという着想の下、軽トラックの荷台に増設される差し枠パネルを安定的に立設させると共に、荷台のあおりに確実に固定でき、且つ現場での取り付け取り外しが容易にできる差し枠パネル固定具とそれを利用した幌を開発し、本発明における「差し枠パネル固定具」の提案に至るものである。
【先行技術文献】
【特許文献】
【００１０】
【特許文献１】特開２００７−８３８５０号公報
【特許文献２】実用新案登録第３２０８２６３号公報
【特許文献３】実用新案登録第３１７６４１４号公報
【発明の概要】
【発明が解決しようとする課題】
【００１１】  本発明は上記問題点を鑑み、軽トラックの荷台に増設される差し枠パネルを安定的に立設させると共に、荷台のあおりに確実に固定でき、且つ現場での取り付け取り外しが容易にできる差し枠パネル固定具の提供を図ることを課題とする。
【課題を解決するための手段】
【００１２】  本発明は上記課題を解決するためになされるもので、本発明の差し枠パネル固定具は、軽トラックのあおりの高さより上方に延長される差し枠パネルと、該差し枠パネルの上下端部を狭持して固定する固定具と、で構成される差し枠パネル固定具であって、前記差し枠パネルは、軽トラックの荷台内に収まる寸法で形成されると共に、脱落防止手段を備える二枚の側面差し枠パネルと、一枚の後面差し枠パネルと、から成り、前記固定具は、前記側面差し枠パネル間に配置される所定の長さを有する連結ロッドの両端に前記側面差し枠パネルの上端部を狭持する脱落防止手段を備える略Ｕ字状の狭持部を形成して成る複数の上端パネル固定具と、軽トラックのあおりの高さに合わせて形成される連結ブレードの上端部に、略コの字状の脱落防止手段を備える上部狭持部を外側且つ下向きに形成すると共に、該下端部に前記差し枠パネルの下端部を狭持する略コの字状の脱落防止手段を備える下部狭持部を内側且つ上向きに形成して成る略クランク状の複数のあおりパネル固定具と、前記側面差し枠パネルと、前記後面差し枠パネルの上端部を同時に狭持して固定することができる脱落防止手段を備えて直交する略コの字状の狭持部を形成して成る少なくとも２以上のコーナーパネル固定具と、から成り、使用時において、前記あおりパネル固定具の上部狭持部を軽トラックのあおりの上端部に差し込んで固定すると共に、前記あおりパネル固定具の下部狭持部に前記側面差し枠パネルならびに前記後面差し枠パネルの下端部を差し込んで固定し、さらに、対向する前記側面差し枠パネルの上端部に少なくとも１以上の前記上端パネル固定具を差し込んで固定し、さらにまた、前記コーナーパネル固定具を前記側面差し枠パネルと前記後面差し枠パネルの交差部に差し込んで固定する手段を採る。【００１３】  また、本発明は、前記上端パネル固定具の連結ロッドの中間位置に、分解・組立手段若しくは折り畳み手段を設けた手段を採る。【００１４】  また、本発明は、前記請求項１または請求項２記載の差し枠パネル固定具を軽トラックの荷台に装着した状態で幌カバーを被覆させた手段を採る。
【発明の効果】
【００１５】  本発明の差し枠パネル固定具によれば、あおりパネル固定具が軽トラックのあおりを利用して固定される手段を採用していることによって、走行中における差し枠パネル固定具の移動（ずれ込み）ならびに脱落防止が確実に図れるといった優れた効果を奏する。【００１６】  また、本発明の差し枠パネル固定具によれば、差し枠をコンパネとすることで製品自体のコストダウンが図れると共に、市販されているコンパネをユーザー自身が購入することで流通段階の製品供給が廉価にできるといった優れた効果を奏する。【００１７】  また、本発明の差し枠パネル固定具によれば、構成部品がコンパネと固定具で構成されると共に、それぞれの構成部品が連結されていない簡易構造であるため、分解組み立てが容易にでき、さらに現場での取り付け取り外し作業が容易であるといった優れた効果を奏する。【００１８】  また、本発明の差し枠パネル固定具によれば、軽トラックの荷台の四方をコンパネまたは金属製の足場板で囲むことによって、土砂、肥料などの流動物を容易に運搬ならびに積載することができるといった優れた効果を奏する。【００１９】  また、本発明の差し枠パネル固定具によれば、固定具の連結ロッドまたは連結ブレードの中間位置に分解・組立手段若しくは折り畳み手段を設けることによって、使用時においては、格納並びに運搬・組み立て作業が容易にできると共に、販売時においては商品の運搬、販売が容易にでき、さらに販売・在庫管理場所の省スペース化が図れるといった優れた効果を奏する。【００２０】  また、本発明の差し枠パネル固定具によれば、軽トラックの荷台に差し枠パネル固定具を装着することで差し枠パネル固定具自体が骨組みとなり、その状態で上方から幌カバーを被覆させることで容易に幌カバー付き軽トラックとすることができるといった優れた効果を奏する。【００２１】  また、本発明の差し枠パネル固定具によれば、軽トラックを幌カバー付きとした上で、荷台の床面に床下収納アングルボックスを搭載することによって、キャンピング用品ならびに寝具や衣類などを収納して車中泊を可能にするキャンピングカー仕様とすることができるといった優れた効果を奏する。
【図面の簡単な説明】
【００２２】
【図１】本発明の差し枠パネル固定具における実施形態を示す説明図である。（実施例１）
【図２】本発明の差し枠パネル固定具における装着状態を示す全体斜視図である。
【図３】本発明の差し枠パネル固定具における組み立て・設置手順を示す説明図である。
【図４】本発明の差し枠パネル固定具における脱落防止手段を示す説明図である。
【図５】本発明の差し枠パネル固定具におけるその他の実施形態を示す説明図である。（実施例２）
【図６】本発明の差し枠パネル固定具におけるその他の実施形態を示す説明図である。（実施例３）
【発明を実施するため形態】
【００２３】  本発明における差し枠パネル固定具１０は、軽トラックＫのあおりＤの高さより上方に延長される差し枠パネル２０と、該差し枠パネル２０の上下端部を狭持して固定する固定具３０と、で構成され、使用時において、あおりパネル固定具３４の上部狭持部３６を軽トラックＫのあおりＤの上端部に差し込んで固定すると共に、あおりパネル固定具３４の下部狭持部３７に側面差し枠パネル２１ならびに後面差し枠パネル２２の下端部を差し込んで固定し、さらに、対向する側面差し枠パネル２１の上端部に少なくとも１以上の上端パネル固定具３１を差し込んで固定し、さらにまた、コーナーパネル固定具３８を側面差し枠パネル２１と後面差し枠パネル２２の交差部に差し込んで固定する手段を採ったことを最大の特徴とする。以下、本発明の実施形態を、図面に基づいて説明する。
【００２４】  尚、本発明の差し枠パネル固定具１０は、以下に述べる実施例に限定されるものではなく、本発明の技術的思想の範囲内、すなわち同一の作用効果を発揮できる形状及び寸法の範囲内で、適宜変更することができる。
【実施例１】
【００２５】  図１は、本発明の差し枠パネル固定具における実施形態を示す説明図である。
図１（ａ）は、本発明の差し枠パネル固定具１０の装着状態を示す全体斜視図である。図１（ｂ）は、本発明の差し枠パネル固定具１０の分解斜視図である。
本発明の差し枠パネル固定具１０は、軽トラックＫのあおりＤの高さより上方に延長される差し枠パネル２０と、該差し枠パネル２０の上下端部を狭持して固定する固定具３０と、で構成される差し枠パネル固定具１０であって、差し枠パネル２０は、軽トラックＫの荷台Ｎ内に収まる寸法で形成されると共に、脱落防止手段４０を備える二枚の側面差し枠パネル２１と、一枚の後面差し枠パネル２２と、から成り、固定具３０は、側面差し枠パネル２１間に配置される所定の長さを有する連結ロッド３３の両端に側面差し枠パネル２１の上端部を狭持する脱落防止手段４０を備える略Ｕ字状の狭持部３２を形成して成る複数の上端パネル固定具３１と、軽トラックＫのあおりＤの高さに合わせて形成される連結ブレード３５の上端部に、略コの字状の脱落防止手段４０を備える上部狭持部３６を外側且つ下向きに形成すると共に、該下端部に差し枠パネル２０の下端部を狭持する略コの字状の脱落防止手段４０を備える下部狭持部３７を内側且つ上向きに形成して成る略クランク状の複数のあおりパネル固定具３４と、側面差し枠パネル２１と、後面差し枠パネル２２の上端部を同時に狭持して固定することができる脱落防止手段４０を備えて直交する略コの字状の狭持部３９を形成して成る少なくとも２以上のコーナーパネル固定具３８と、から成る。【００２６】  差し枠パネル２０は、軽トラックＫの荷台Ｎ内に収まる寸法で形成される二枚の側面差し枠パネル２１と、一枚の後面差し枠パネル２２とから成り、市販されているコンパネを所定の寸法に切断加工して形成される。差し枠パネル２０が市販されているコンパネを加工して利用することで、ユーザーが差し枠パネル２０自体を自前で調達することができるため、購入単価の節減ならびに消耗、破損による交換が容易にできると共に、その差し枠高さは、ユーザーの使用目的に合わせてＤＩＹ等によって自由に設定することができる。【００２７】  固定具３０は、差し枠パネル２０の上端を固定する上端パネル固定具３１と軽トラックＫのあおりＤの上端部に取り付けられる略クランク状のあおりパネル固定具３４と、側面差し枠パネル２１と、後面差し枠パネル２２が交差する上端部を同時に狭持して固定するコーナーパネル固定具３８と、で構成される。【００２８】  上端パネル固定具３１は、側面差し枠パネル２１の上端を狭持した状態で固定する構造で形成されるもので、例えば、構造用の鉄筋（ロッド）ならびに鉄板（ブレード）を加工して制作される。
また、連結ロッド３３は、側面差し枠パネル２１が積載物の重量によって荷台Ｎの外側方向に広がらないようにする目的で設けられることから、ブレード状の金属板を加工して図示されているような脱落防止手段４０を備える上端パネル固定具３１とすることも可能である。（図１（ｂ）の（符号）参照）
また、図示はしていないが、雨水対策として連結ロッド３３の全体形状を山形またはＲ状に湾曲させた仕様とすることや、さらに複数本配設することもできる。【００２９】  狭持部３２は、連結ロッド３３の両端に側面差し枠パネル２１の上端部の厚みが差し込まれる隙間を形成すると共に、先端がやや解放され、さらに内側にやや付勢して側面差し枠パネル２１が差し込みやすい末広がり状に形成されることが望ましい。（図３の吹き出し部参照）【００３０】  あおりパネル固定具３４は、軽トラックＫのあおりＤの高さに合わせて形成される連結ブレード３５の上端部に、略コの字状の脱落防止手段４０を備える上部狭持部３６を外側且つ下向きに形成すると共に、該下端部に差し枠パネル２０の下端部を狭持する略コの字状の脱落防止手段４０を備える下部狭持部３７を内側且つ上向きに形成し、上部狭持部３６を軽トラックＫのあおりＤの上端部に差し込み、下部狭持部３７に差し枠パネル２０の下端部を差し込んで脱落防止手段４０によって固定する略クランク状の形状に形成される。【００３１】  連結ブレード３５は、軽トラックＫのあおりＤの高さに合わせて形成されるもので、積載物によって荷台Ｎの外側方向にかかる荷重の補強のためにリブが適宜設けられる平板状の構造用ブレードであり、上端部には上部狭持部３６が設けられ、下端部には下部狭持部３７が設けられて形成される。【００３２】  上部狭持部３６は、軽トラックＫのあおりＤの上端部に差し込むことができる略コの字状の隙間を有して形成され、後述する脱落防止手段４０が設けられている。【００３３】  下部狭持部３７は、連結ブレード３５の下端に側面差し枠パネル２１の下端部を狭持することができる略コの字状に形成されるもので、差し枠パネル２０の厚みが差し込まれる略コの字状の隙間を形成され、後述する脱落防止手段４０が設けられているもので先端の内側が外側に向かって広がって差し枠パネル２０が差し込みやすいテーパ状に形成されることが望ましい。（図３の吹き出し部参照）【００３４】  脱落防止手段４０は、側面差し枠パネル２１と後面差し枠パネル２２の上端ならびに下端に設けられる通し穴４０ｃにボルト４０ｅを差し込んで固定することができる形状に形成されるもので、側面差し枠パネル２１と後面差し枠パネル２２が積載物の重量によって外側に倒れ込む状態を防止すると共に、走行中の脱落を防止する役目を果たす。【００３５】  コーナーパネル固定具３８は、側面差し枠パネル２１と、後面差し枠パネル２２の上端部を同時に狭持して固定することができる後述する脱落防止手段４０を備えて直交する略コの字状の狭持部３９を形成して成る。【００３６】  狭持部３９は、後面差し枠パネル２２と側面差し枠パネル２１の上端部を同時に狭持することができる略コの字状に直交する形状に形成されるもので、先端の内側が外側に向かって広がって差し枠パネル２０が差し込みやすいテーパ状に形成されることが望ましい。【００３７】  脱落防止手段４０は、側面差し枠パネル２１と後面差し枠パネル２２が直交する上端箇所の通し穴４０ｃにボルト４０ｅと固定ピン４０ｆを差し込むことで固定ならび跳ね上げ式とすることができる形状に形成されるもので、側面差し枠パネル２１と後面差し枠パネル２２が積載物の重量によって外側に倒れ込む状態を防止すると共に、走行中の脱落を防止する役目を果たす。【００３８】  以上で構成される本発明の差し枠パネル固定具１０は、軽トラックＫの荷台Ｎに増設される差し枠パネル２０を安定的に立設させると共に、荷台ＮのあおりＤに確実に固定でき、且つ現場での取り付け取り外しが容易にできる差し枠パネル固定具１０の提供を可能にする。【００３９】  図２は、本発明の差し枠パネル固定具における装着状態を示す全体斜視図である。
本発明の差し枠パネル固定具１０が軽トラックＫの荷台Ｎに装着された際は、軽トラックＫの荷台Ｎに増設される差し枠パネル２０を安定的に立設させることができると共に、荷台ＮのあおりＤに確実に固定でき、且つ現場での取り付け取り外しが容易にできる手段を採用していることで、走行中の差し枠パネル２０のずれ込みならびに脱落防止が阻止されると共に、差し枠パネル２０をコンパネとすることで製品自体のコストダウンが図れ、さらに市販されているコンパネをユーザー自身が購入することで流通段階の製品供給を固定具３０のみで販売することができ、さらにまた、構成部品がコンパネと固定具３０で構成される簡易構造であるため、取り付け取り外し作業が容易であると共に、広い収納スペースを必要としないといった数多くの利点を有する差し枠パネル固定具１０の提供を可能にする。【００４０】  図３は、本発明の差し枠パネル固定具における組み立て・設置手順を示す説明図である。
（１）軽トラックＫの荷台Ｎの側面及び後面あおりＤを立てる。
（２）軽トラックＫの荷台Ｎの側面及び後面あおりＤの上端部にあおりパネル固定具３４の上部狭持部３６を差し込んで固定する。
（３）側面及び後面あおりＤの上端部に固定されたあおりパネル固定具３４の下部狭持部３７に、コンパネで形成される側面差し枠パネル２１及び後面差し枠パネル２２の下端部を其々差し込んで固定する。
（４）対向する側面差し枠パネル２１の上端部に上端パネル固定具３１の狭持部３２を差し込む。
（５）組み立て・設置作業終了（積載物を積み下ろしする作業に移る）【００４１】  以上で構成される本発明の差し枠パネル固定具１０の組み立て・設置作業は、構成部品が少なく設置作業も単に軽トラックＫの荷台ＮのあおりＤの上端部に固定するだけで済むことから、使用者における農作業の効率化ならびに設置労力の軽減化が容易に図られる。【００４２】  図４は、本発明の差し枠パネル固定具における脱落防止手段を示す説明図である。
本発明の差し枠パネル固定具１０は、差し枠パネル２０と固定具３０とが当接する箇所に、脱落防止手段４０を設けて走行中の差し枠パネル固定具１０の脱落を防止することができる。
脱落防止手段４０としては、例えば、下記の構造が考えられる。【００４３】  図４（ａ）は、落とし込み穴４０ａと突起４０ｂによる構造。
差し枠パネル２０には、差し枠パネル２０とあおりパネル固定具３４の当接位置に任意形状の落とし込み穴４０ａ空け、あおりパネル固定具３４には、ねじ込みボルト４０ｅの先端や溶接パーツなどで形成される任意形状の突起４０ｂを設け、差し枠パネル２０の落とし込み穴４０ａにあおりパネル固定具３４の突起４０ｂを落とし込むことによって差し枠パネル２０の脱落防止を図ることができる。【００４４】  図４（ｂ）は、通し穴４０ｃとボルト４０ｅによる構造。
差し枠パネル２０には、差し枠パネル２０とあおりパネル固定具３４の当接位置に任意形状の通し穴４０ｃを空け、あおりパネル固定具３４には、通し穴４０ｃとボルト穴４０ｄを設け、あおりパネル固定具３４と差し枠パネル２０の通し穴４０ｃにボルト４０ｅを通すことによって差し枠パネル２０の脱落防止を図ることができる。
さらに、ボルト４０ｅをねじ込んでボルト４０ｅの先端を軽トラックＫの側面あおりＤの内側に当接させることによって、差し枠パネル固定具１０を軽トラックＫに強固に固定することができる。
尚、図示では、あおりパネル固定具３４の下部狭持部３７を例示しているが、上部狭持部３６については、上部狭持部３６を軽トラックＫの側面あおりＤの上端部に差し込んで固定する形態を採る。
【実施例２】
【００４５】  図５は、本発明の差し枠パネル固定具におけるその他の実施形態を示す説明図である。
本発明の差し枠パネル固定具１０は、上端パネル固定具３１の連結ロッド３３の中間位置に、分解・組立手段４１若しくは折り畳み手段４２を設けて、部品のコンパクト化ならびに収納スペースの縮小化を図ることができる。
分解・組立手段４１ならびに折り畳み手段４２としては、例えば、下記の構造が考えられる。【００４６】  図５（ａ）は、分解・組立手段４１による構造。
上端パネル固定具３１の連結ロッド３３の中間位置にボルト連結部４１ａを設けて、二分割に分解できる構造とすることができる。【００４７】  図５（ｂ）は、折り畳み手段４２による構造。
上端パネル固定具３１の連結ロッド３３をブレード状に形成した場合、該ブレードの中間位置に丁番４２ａや差し込み式のピン等を設けて二分割に折り畳む構造とすることができる。
【実施例４】
【００４８】  図６は、本発明の差し枠パネル固定具におけるその他の実施形態を示す説明図である。
本発明の差し枠パネル固定具１０は、差し枠パネル固定具１０を軽トラックＫの荷台Ｎに装着した状態で幌カバーＦを被覆させることによって、差し枠パネル固定具１０自体がカバーの骨組みの役割を果たすことで簡便且つ容易に幌カバーＦ付き軽トラックＫとすることができるもので、例えば、一枚の防水シートの端部を軽トラックＫの荷台Ｎと差し枠パネル２０の間に差し込んで簡易的な幌カバーＦ付き軽トラックＫとすることができる。また、簡易縫製のボックス状の幌カバーＦを用いることによって安価な幌カバーＦ付き軽トラックＫとすることもできる。さらに、荷台Ｎの床面に床下収納アングルボックスを搭載することでキャンピング用品ならびに寝具や衣類などを収納して車中泊を可能にするキャンピングカー仕様とすることができる。
【産業上の利用可能性】
【００４９】  本発明の差し枠パネル固定具は、積載作業の効率化、固定構造の簡易化ならびに軽量化に加えて現場での取り付け取り外しが容易であると共に、天候に左右されず、多様な目的に対応できる固定手段を軽トラックの荷台のあおりに内接させると共に、自立する構造で形成されるもので、従来の差し枠パネル固定具と比して、取扱いならびに運搬の容易性、製品価格の経済性、農事作業のやり易さなど第一次産業から第三次産業に跨る各ユーザーの多様な要求を満たすことができることから、本発明の「差し枠パネル固定具」の産業上の利用可能性は極めて大であるものと思料する。
【符号の説明】
【００５０】１０    差し枠パネル固定具
２０    差し枠パネル
２１    側面差し枠パネル
２２    後面差し枠パネル
３０    固定具
３１    上端パネル固定具
３２    狭持部
３３    連結ロッド
３４    あおりパネル固定具
３５    連結ブレード
３６    上部狭持部
３７    下部狭持部
３８    コーナーパネル固定具
３９    狭持部
４０    脱落防止
４０ａ  落とし込み穴
４０ｂ  突起
４０ｃ  通し穴
４０ｄ  ボルト穴
４０ｅ  ボルト
４０ｆ  固定ピン
４１    分解・組立手段
４１ａ  ボルト連結部
４２    折り畳み手段
４２ａ  丁番
Ｋ    軽トラック
Ｎ    荷台
Ｄ    あおり
Ｆ    幌カバー
【図１】
2018144786.tif 000003
【図２】
2018144786.tif 000004
【図３】
2018144786.tif 000005
【図４】
2018144786.tif 000006
【図５】
2018144786.tif 000007
【図６】
2018144786.tif 000008